(57)【要約】    【課題】  記録装置内に格納された機密情報の漏洩を防止する。    【解決手段】  画像データを格納するための記録装置（ＨＤＤ）と、該記録装置を本体に対して固定および固定解除する固定手段（鍵）とを備えた画像形成装置において、前記記録装置に対して画像データが格納されるとき（Ｓ７０４）、前記固定手段に、前記記録装置を本体に対して固定させ（Ｓ７０１）、一方、前記記録装置を本体から取り外す必要が生じた場合、前記記録装置に格納された画像データを消去するとともに（Ｓ７０２）、前記記録装置に格納された画像データが全て消去されたとき、前記固定手段に、前記記録装置を本体から固定解除させる（Ｓ７０３）。【選択図】      図８
2006155527.tif 000002
【特許請求の範囲】
【請求項１】
画像データを格納するための記録装置と、
前記記録装置を本体に対して固定および固定解除する固定手段と、
前記記録装置に対して画像データが格納されるとき、前記固定手段に、前記記録装置を本体に対して固定させる第１の制御手段と、
前記記録装置を本体から取り外す必要が生じた場合、前記記録装置に格納された画像データを消去する消去手段と、
前記消去手段によって前記記録装置に格納された画像データが全て消去されたとき、前記固定手段に、前記記録装置を本体から固定解除させる第２の制御手段と
を有することを特徴とする画像形成装置。
【請求項２】
前記消去手段は、前記記録装置を本体から取り外す必要が生じた場合、前記記録装置に格納された画像データをすべて消去してもよいかをユーザに問合せ、消去してもよいというユーザからの回答があった場合に消去を実行すること特徴とする請求項１記載の画像形成装置。
【請求項３】
前記記録装置はハードディスク記憶装置であること特徴とする請求項１記載の画像形成装置。
【請求項４】
前記記録装置に格納された画像データに基づき被記録媒体上に画像形成を行う画像形成手段を更に有すること特徴とする請求項１記載の画像形成装置。
【請求項５】
情報を格納するための記録装置と、
前記記録装置を本体に対して固定および固定解除する固定手段と、
前記記録装置に対して情報が格納されるとき、前記固定手段に、前記記録装置を本体に対して固定させる第１の制御手段と、
前記記録装置を本体から取り外す必要が生じた場合、前記記録装置に格納された情報を消去する消去手段と、
前記消去手段によって、前記記録装置に格納された情報が全て消去されたとき、前記固定手段に、前記記録装置を本体から固定解除させる第２の制御手段と
を有することを特徴とする情報処理装置。
【請求項６】
画像データを格納するための記録装置と、該記録装置を本体に対して固定および固定解除する固定手段とを備えた画像形成装置に適用される画像データ保護方法において、
前記記録装置に対して画像データが格納されるとき、前記固定手段に、前記記録装置を本体に対して固定させる第１の制御ステップと、
前記記録装置を本体から取り外す必要が生じた場合、前記記録装置に格納された画像データを消去する消去ステップと、
前記消去ステップによって、前記記録装置に格納された画像データが全て消去されたとき、前記固定手段に、前記記録装置を本体から固定解除させる第２の制御ステップと
を有することを特徴とする画像データ保護方法。
【請求項７】
情報を格納するための記録装置と、該記録装置を本体に対して固定および固定解除する固定手段とを備えた情報処理装置に適用される情報保護方法において、
前記記録装置に対して情報が格納されるとき、前記固定手段に、前記記録装置を本体に対して固定させる第１の制御ステップと、
前記記録装置を本体から取り外す必要が生じた場合、前記記録装置に格納された情報を消去する消去ステップと、
前記消去ステップによって、前記記録装置に格納された情報が全て消去されたとき、前記固定手段に、前記記録装置を本体から固定解除させる第２の制御ステップと
を有することを特徴とする情報保護方法。
【請求項８】
画像データを格納するための記録装置と、該記録装置を本体に対して固定および固定解除する固定手段とを備えた画像形成装置に適用される画像データ保護方法を、コンピュータに実行させるためのプログラムにおいて、
前記記録装置に対して画像データが格納されるとき、前記固定手段に、前記記録装置を本体に対して固定させる第１の制御ステップと、
前記記録装置を本体から取り外す必要が生じた場合、前記記録装置に格納された画像データを消去する消去ステップと、
前記消去ステップによって、前記記録装置に格納された画像データが全て消去されたとき、前記固定手段に、前記記録装置を本体から固定解除させる第２の制御ステップと
を有することを特徴とするプログラム。
【請求項９】
情報を格納するための記録装置と、該記録装置を本体に対して固定および固定解除する固定手段とを備えた情報処理装置に適用される情報保護方法を、コンピュータに実行させるためのプログラムにおいて、
前記記録装置に対して情報が格納されるとき、前記固定手段に、前記記録装置を本体に対して固定させる第１の制御ステップと、
前記記録装置を本体から取り外す必要が生じた場合、前記記録装置に格納された情報を消去する消去ステップと、
前記消去ステップによって、前記記録装置に格納された情報が全て消去されたとき、前記固定手段に、前記記録装置を本体から固定解除させる第２の制御ステップと
を有することを特徴とするプログラム。
【発明の詳細な説明】
【技術分野】
【０００１】
本発明は、画像形成装置、情報処理装置、画像データ保護方法、情報保護方法、及びプログラムに関し、特に、画像データを記録する記録装置を備えた画像形成装置、情報を記録する記録装置を備えた情報処理装置、該画像形成装置に適用される画像データ保護方法、該情報処理装置に適用される情報保護方法、及び該画像データ保護方法または情報保護方法をコンピュータに実行させるためのプログラムに関する。
【背景技術】
【０００２】
従来、画像形成装置では、画像データを記録する装置（例えばハードディスクドライブ等）が標準的に装着され、システム制御用のプログラムの格納やスキャンした画像、パーソナルコンピュータから送られてきたＰＤＬ（Page Description Language）データ等の記録に使用されている（例えば、特許文献１参照）。
【特許文献１】特開平１０−５１６０９号公報
【発明の開示】
【発明が解決しようとする課題】
【０００３】
しかしながら、上記従来の画像形成装置における画像データを記録する装置（ハードディスクドライブ等）は、画像形成装置本体に対して、ねじ止めなどの簡単な方法で取り付けられているため、盗まれてしまう可能性があり、そうした場合、該記録装置内に格納されている機密情報を盗み見られてしまう危険性があった。
【０００４】
本発明はこのような問題点に鑑みてなされたものであって、記録装置内に格納された機密情報の漏洩を防止した画像形成装置、情報処理装置、画像データ保護方法、情報保護方法、及びプログラムを提供することを目的とする。
【課題を解決するための手段】
【０００５】
上記目的を達成するために、請求項１記載の発明によれば、画像データを格納するための記録装置と、前記記録装置を本体に対して固定および固定解除する固定手段と、前記記録装置に対して画像データが格納されるとき、前記固定手段に、前記記録装置を本体に対して固定させる第１の制御手段と、前記記録装置を本体から取り外す必要が生じた場合、前記記録装置に格納された画像データを消去する消去手段と、前記消去手段によって前記記録装置に格納された画像データが全て消去されたとき、前記固定手段に、前記記録装置を本体から固定解除させる第２の制御手段とを有することを特徴とする画像形成装置が提供される。
【０００６】
また、請求項５記載の発明によれば、情報を格納するための記録装置と、前記記録装置を本体に対して固定および固定解除する固定手段と、前記記録装置に対して情報が格納されるとき、前記固定手段に、前記記録装置を本体に対して固定させる第１の制御手段と、前記記録装置を本体から取り外す必要が生じた場合、前記記録装置に格納された情報を消去する消去手段と、前記消去手段によって、前記記録装置に格納された情報が全て消去されたとき、前記固定手段に、前記記録装置を本体から固定解除させる第２の制御手段とを有することを特徴とする情報処理装置が提供される。
【０００７】
また、請求項６記載の発明によれば、画像データを格納するための記録装置と、該記録装置を本体に対して固定および固定解除する固定手段とを備えた画像形成装置に適用される画像データ保護方法において、前記記録装置に対して画像データが格納されるとき、前記固定手段に、前記記録装置を本体に対して固定させる第１の制御ステップと、前記記録装置を本体から取り外す必要が生じた場合、前記記録装置に格納された画像データを消去する消去ステップと、前記消去ステップによって、前記記録装置に格納された画像データが全て消去されたとき、前記固定手段に、前記記録装置を本体から固定解除させる第２の制御ステップとを有することを特徴とする画像データ保護方法が提供される。
【０００８】
また、請求項７記載の発明によれば、情報を格納するための記録装置と、該記録装置を本体に対して固定および固定解除する固定手段とを備えた情報処理装置に適用される情報保護方法において、前記記録装置に対して情報が格納されるとき、前記固定手段に、前記記録装置を本体に対して固定させる第１の制御ステップと、前記記録装置を本体から取り外す必要が生じた場合、前記記録装置に格納された情報を消去する消去ステップと、前記消去ステップによって、前記記録装置に格納された情報が全て消去されたとき、前記固定手段に、前記記録装置を本体から固定解除させる第２の制御ステップとを有することを特徴とする情報保護方法が提供される。
【０００９】
さらに、上記画像データ保護方法または情報保護方法をコンピュータに実行させるためのプログラムが提供される。
【発明の効果】
【００１０】
本発明によれば、画像データを格納するための記録装置と、該記録装置を本体に対して固定および固定解除する固定手段とを備えた画像形成装置において、前記記録装置に対して画像データが格納されるとき、前記固定手段に、前記記録装置を本体に対して固定させ、一方、前記記録装置を本体から取り外す必要が生じた場合、前記記録装置に格納された画像データを消去するとともに、前記記録装置に格納された画像データが全て消去されたとき、前記固定手段に、前記記録装置を本体から固定解除させる。
【００１１】
これにより、記録装置に格納された画像データが全て消去されたとき、前記固定手段に、前記記録装置を本体から固定解除させるので、記録装置内に格納された機密情報の漏洩を防止することができる。
【発明を実施するための最良の形態】
【００１２】
以下、本発明を実施するための最良の形態について、図面を参照して説明する。
【００１３】
図１は、本発明の一実施の形態に係る画像形成装置を含むネットワークシステムの構成を示すブロック図である。
【００１４】
このネットワークシステムは、イーサネット（登録商標）２０８を介して接続された画像形成装置２００とパーソナルコンピュータ（ＰＣ）２０９とから構成される。
【００１５】
画像形成装置２００において操作部２０１は、液晶タッチパネルで構成され、システム制御部（ＣＰＵ）２０３に接続されて、画像形成装置２００を操作するためのＩ／Ｆを提供する。
【００１６】
画像読み取り部２０２は、原稿画像を光学的に読み取り、画像データに変換する。この画像データは、一旦ＨＤＤ（ハードディスクドライブ）２０４に格納され、その後にシステム制御部２０３を介して画像処理部２０５に送られ、画像処理部２０５において、印刷を実行するプリンタに適した画像データに変換され、再度ＨＤＤ２０４に格納される。また、ＰＣ２０９からイーサネット（登録商標）２０８、ネットワーク制御部２０７経由でシステム制御部２０３に、ページ記述言語（ＰＤＬ）で記述されたプリントデータが送られてきた場合には、システム制御部２０３は、該プリントデータを一度ＨＤＤ２０４に格納し、その後に該プリントデータを画像処理部２０５に送る。画像処理部２０５はプリントデータを、可視画像を形成するプリンタに適した画像データに変換し、ＨＤＤ２０４に再び記録する。なお、ＨＤＤ２０４に格納されるデータは、ユーザの設定に応じて、ユーザが指定した形式（ＪＰＥＧ、ＴＩＦＦ  等）でファイルとして残すことも可能である。
【００１７】
ＨＤＤ２０４に記録されたプリンタに適した画像データは、プリンタ制御部３０２を介してＰＷＭ部３０３、マーキングユニット３０４に転送され、そこで可視画像が形成される。
【００１８】
取り付け鍵２０６は、ＨＤＤ２０４を画像形成装置２００に機械構造的に取り付けている装置であり、システム制御部２０３が取り付け鍵２０６のロック状態を制御する。すなわち、取り付け鍵２０６は、システム制御部２０３からロック指示を送られている場合、ＨＤＤ２０４を画像形成装置２００に機械構造的に固定して、ＨＤＤ２０４の外部からの取り外しを不可能し、一方、システム制御部２０３からロック解除指示を送られている場合、ＨＤＤ２０４の外部からの取り外しに応じるべく、上記の機械構造的な固定を解除する。この制御の詳しい内容については後述する。
【００１９】
図２は、図１に示す操作部２０１の構成を示す外観図である。
【００２０】
操作部２０１では、ＬＣＤ表示部４０１がシステム制御部２０３によって制御されて、ＬＣＤ表示部４０１に操作画面が表示される。また、ＬＣＤ表示部４０１上にはタッチパネルシートが貼られており、ＬＣＤ表示部４０１上をタッチすると、タッチされた位置を示す位置情報がシステム制御部２０３に送信される。システム制御部２０３では、操作画面と送信された位置情報とを参照することにより、選択された操作を認識する。
【００２１】
スタートキー４０２は、画像読み取り動作などを開始するときなどに操作されるキーである。スタートキー４０２の中央部には、緑と赤の２色のＬＥＤが配置され、その色によってスタートキー４０２が使える状態にあるか否かを示す。ストップキー４０３は、稼動中の動作を止めるときに操作されるキーである。
【００２２】
図３は、図１に示す画像読み取り部２０２の構成を示す側断面図である。
【００２３】
図３において原稿台ガラス５０１には、読み取られるべき原稿５０２が置かれる。原稿５０２は、照明ランプ５０３により照射され、その反射光はミラー５０４、５０５、５０６を経て、レンズ５０７により撮像素子（ＣＣＤ）５０８上に結像される。ミラー５０４、照明ランプ５０３を含む第１ミラーユニット５１０は、速度ｖで移動し、ミラー５０５、５０６を含む第２ミラーユニット５１１は速度（１／２）ｖで移動することにより、原稿５０２に対して副走査方向の走査が行われる。第１ミラーユニット５１０および第２ミラーユニット５１１は、モータ５０９により駆動される。ＣＣＤ５０８によって撮像された画像は、例えばＲ，Ｇ，Ｂ３色のそれぞれ８ビットのディジタル画像信号に変換され、システム制御部２０３（図１）に送られる。
【００２４】
図４は、図１に示す画像処理部２０５の内部構成を示すブロック図である。
【００２５】
図中６０１はシェーディング補正回路、６０２は入力マスキング回路である。６０３はＲＧＢ編集回路、６０４は色空間圧縮回路、６０５は光量−濃度変換（以下「ＬＯＧ変換」）部である。６０６は出力マスキング回路、６０７はＣＭＹＫ編集回路、６０８は濃度補正回路である。６０９は変倍回路、６１０は空間フィルタ回路、６１１は黒文字処理回路、６１２は領域信号生成回路である。
【００２６】
ＣＣＤ５０８によって読み込まれ、増幅装置（図示せず）でディジタル画像信号Ｒ，Ｇ，Ｂに変換された画像信号は、シェーディング補正回路６０１で照明ランプ５０３の配光の傾きやＣＣＤ５０８のセンサ素子のばらつきを補正される。その後、入力マスキング回路６０２で標準色空間を表す３信号に変換され、ＲＧＢ編集回路６０３に入力されて、色変換、文字加工信号生成等の編集処理が施される。次に色空間圧縮回路６０４で、原稿の色味がつぶれたりせずにプリンタの色再現範囲に収まるように色空間が圧縮される。さらにＬＯＧ変換部６０５で、光量で表された画像信号ＲＧＢを、対応する現像剤（例えばトナー）の濃度信号Ｃ（シアン）、Ｍ（マゼンタ）、Ｙ（イエロー）の３色信号に変換する。次段の出力マスキング回路６０６では、トナーの分光特性に応じて変換されたＣＭＹＢｋの各信号のうち、画像を形成する１色の信号が面順次に出力される。ＣＭＹＫ編集回路６０７でペイント、色付け等の機能を付加した後、濃度補正回路６０８、変倍回路６０９、空間フィルタ回路６１０を経て画像信号が形成される。
【００２７】
一方、黒文字処理回路６１１は、ＲＧＢ画像信号からその画像の太文字度、エッジ、色味を検出し、結果に応じて出力マスキング回路６０６、空間フィルタ回路６１０の係数、さらにレーザ駆動の線数を切り替える。領域信号生成回路６１２では、ディジタイザあるいはマーカーによる指定に従って領域信号を生成する。
【００２８】
図５は、図１に示すＰＷＭ部３０３の内部構成およびマーキングユニット３０４の一部構成を示す図である。図６は、ＰＷＭ部３０３で発生する信号の波形を示す図である。
【００２９】
ＰＷＭ部３０３は、１画素分を１周期とする三角波を発生する三角波発生部７０１、入力されるディジタル画像信号をアナログ信号に変換するＤ／Ａ変換部７０２、およびコンパレータ７０３から構成される。三角波発生部７０１で発生された三角波信号（図６のＡ１）及びＤ／Ａ変換部７０２からの出力信号（図６のＡ２）は、コンパレータ７０３で比較されて、図６のＡ３のような信号となってレーザ駆動部７０４に送られる。レーザ駆動部７０４は、ＣＭＹＫの各色の画像信号をＣＭＹＫの各色の半導体レーザ装置７０５にそれぞれ送り、半導体レーザ装置７０５は、各色に対応したレーザビームを、ポリゴンミラー８１３を介して各色に対応した感光ドラム８１７，８２１，８２５，８２９にそれぞれ送る。レーザ駆動部７０４、半導体レーザ装置７０５、ポリゴンミラー８１３、感光ドラム８１７，８２１，８２５，８２９は、マーキングユニット３０４の一部である。
【００３０】
図７は、図１に示すマーキングユニット３０４の内部構成を示す図である。
【００３１】
図７において８１３はポリゴンミラーであり、４つの半導体レーザ装置７０５（図７では図示せず）より発光された４本のレーザ光を受ける。その内の１本はミラー８１４、８１５、８１６を経て感光ドラム８１７を走査し、次の１本はミラー８１８、８１９、８２０を経て感光ドラム８２１を走査し、次の１本はミラー８２２、８２３、８２４を経て感光ドラム８２５を走査し、次の１本はミラー８２６、８２７、８２８を経て感光ドラム８２９を走査する。
【００３２】
一方、８３０はイエロー（Ｙ）のトナーを供給する現像器であり、レーザ光に従い、感光ドラム８１７上にイエローのトナー像を形成し、８３１はマゼンタ（Ｍ）のトナーを供給する現像器であり、レーザ光に従い、感光ドラム８２１上にマゼンタのトナー像を形成し、８３２はシアン（Ｃ）のトナーを供給する現像器であり、レーザ光に従い、感光ドラム８２５上にシアンのトナー像を形成し、８３３はブラック（Ｋ）のトナーを供給する現像器であり、レーザ光に従い、感光ドラム８２９上にマゼンタのトナー像を形成する。以上４色（Ｙ，Ｍ，Ｃ，Ｋ）のトナー像がシートに転写され、フルカラーの出力画像を得ることができる。
【００３３】
シートカセット８３４、８３５および手差しトレイ８３６のいずれかより供給されたシートは、レジストローラ８３７をへて、転写ベルト８３８上に吸着され、搬送される。給紙のタイミングと同期が取られて、予め感光ドラム８１７、８２１、８２５、８２９には各色のトナーが現像されており、シートの搬送とともに、トナーがシートに転写される。各色のトナーが転写されたシートは、転写ベルト８３８から分離され、搬送ベルト８３９により搬送され、定着器８４０によって、トナーがシートに定着される。定着器８４０を抜けたシートは、フラッパ８５０によりいったん下方向へ導かれてシートの後端がフラッパ８５０を抜けた後、スイッチバックさせて排出する。これによりフェイスダウン状態で排出され、先頭頁から順にプリントしたときに正しい順となる。
【００３４】
なお、４つの感光ドラム８１７、８２１、８２５、８２９は互いに、距離ｄの等間隔で配置されており、搬送ベルト８３９により、シートは一定速度ｖで搬送されており、この搬送ベルト８３９の動きにタイミング同期がなされて、４つの半導体レーザ７０５は駆動される。
【００３５】
つぎに、図１に示す取り付け鍵２０６に対するシステム制御部２０３によるロック制御について説明する。
【００３６】
図８は、ＨＤＤ２０４の記憶状態に応じた取り付け鍵２０６のロック状態及びロック解除状態の遷移を示す図である。
【００３７】
ＨＤＤ２０４を画像形成装置２００に機械構造的に取り付けている取り付け鍵２０６は初期状態では、ロックされた状態（Ｓ７０１）にある。
【００３８】
取り付け鍵２０６のロックを解除し、ＨＤＤ２０４を画像形成装置２００から取り外せるようにするためには、まずユーザが操作部２０１にＨＤＤ２０４の取り外し指令を入力する。すると、操作部２０１の表示画面上に「ＨＤＤの内容が完全に消去されますがよろしいですか？」というメッセージが表示される（図９）。この表示画面上で、ユーザが「ＹＥＳ」を選択すると、システム制御部２０３がＨＤＤ２０４の全記憶領域に対して“０”データまたはランダムデータの書き込みを行い、ＨＤＤ２０４の内容を完全に消去する（Ｓ７０２）。
【００３９】
システム制御部２０３は、ＨＤＤ２０４の記憶内容の完全消去が成功したことを確認すると、取り付け鍵２０６のロック状態を解除し、ユーザがＨＤＤ２０４を画像形成装置２００から取り外せる状態となる（Ｓ７０３）。
【００４０】
状態Ｓ７０３において、ＨＤＤ２０４が画像形成装置２００から取り外されないまま、ＨＤＤ２０４へのデータの書き込みが発生すると（Ｓ７０４）、システム制御部２０３は、取り付け鍵２０６のロック状態にして、ＨＤＤ２０４が画像形成装置２００から取り外せない初期状態に戻る（Ｓ７０１）。
【００４１】
なお、上記の説明では、操作部２０１の表示画面を用いて、ＨＤＤ２０４の取り外し指令や、ＨＤＤ２０４の記憶内容の完全消去に関する実行確認を行うようにしているが、これに代わって、ＰＣ２０９の表示画面を利用して、ＨＤＤ２０４の取り外し指令や、ＨＤＤ２０４の記憶内容の完全消去に関する実行確認を行うようにしてもよい。例えば、マイクロソフト社のＯＳ（Operating System）であるＷｉｎｄｏｗｓ（登録商標）のＧＵＩ（Graphical User Interface）を利用して、図１０に示すように、ＨＤＤ２０４の記憶内容の完全消去に関する実行確認を行う画面を表示可能である。このＰＣ２０９の表示画面上のＧＵＩを操作することにより、取り付け鍵２０６のロック解除を行うことも可能である。
【００４２】
さらに、ＰＣ２０９のＧＵＩからだけではなく、図１１に示すように、コマンドプロンプトから直接コマンドを発行し、ＨＤＤ２０４の記憶内容を完全に消去し、取り付け鍵２０６のロック解除を行うことも可能である。
【００４３】
以上のようにして、本実施の形態では、ＨＤＤ２０４を画像形成装置２００から取り外されたとしても、ＨＤＤ２０４内に格納された機密情報の漏洩を防止することができる。
【００４４】
〔他の実施の形態〕
上記の実施の形態では、画像形成装置２００に備えられたＨＤＤ２０４を例に挙げて説明したが、本発明は、記憶装置を備えた情報処理装置一般に対しても適用できるものであって、本発明によって、記憶装置に格納された記憶内容を漏洩することなく、該記憶装置を情報処理装置から取り外すことが可能となる。
【００４５】
なお、本発明の目的は、前述した実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４６】
この場合、記憶媒体から読み出されたプログラムコード自体が本発明の新規な機能を実現することになり、そのプログラムコードを記憶した記憶媒体およびプログラムは本発明を構成することになる。
【００４７】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００４８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００４９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００５０】
【図１】本発明の一実施の形態に係る画像形成装置を含むネットワークシステムの構成を示すブロック図である。
【図２】図１に示す操作部の構成を示す外観図である。
【図３】図１に示す画像読み取り部の構成を示す側断面図である。
【図４】図１に示す画像処理部の内部構成を示すブロック図である。
【図５】図１に示すＰＷＭ部の内部構成およびマーキングユニットの一部構成を示す図である。
【図６】ＰＷＭ部で発生する信号の波形を示す図である。
【図７】図１に示すマーキングユニットの内部構成を示す図である。
【図８】ＨＤＤの記憶状態に応じた取り付け鍵ロック状態及びロック解除状態の遷移を示す図である。
【図９】操作部にＨＤＤの取り外し指令を入力したときに、操作部の表示画面上に表示されるメッセージを示す図である。
【図１０】操作部にＨＤＤの取り外し指令を入力したときに、ＰＣの表示画面上に表示されるメッセージを示す図である。
【図１１】コマンドプロンプトから直接コマンドを発行し、ＨＤＤの記憶内容を完全に消去する指令を行うときのＰＣの表示画面を示す図である。
【符号の説明】
【００５１】
２０８  イーサネット（登録商標）
２００  画像形成装置
２０９  パーソナルコンピュータ（ＰＣ）
２０１  操作部
２０３  システム制御部（ＣＰＵ、第１の制御手段、消去手段、第２の制御手段）
２０４  ＨＤＤ（ハードディスクドライブ、記録装置）
２０６  取り付け鍵（固定手段）
【図１】
2006155527.tif 000003
【図２】
2006155527.tif 000004
【図３】
2006155527.tif 000005
【図４】
2006155527.tif 000006
【図５】
2006155527.tif 000007
【図６】
2006155527.tif 000008
【図７】
2006155527.tif 000009
【図８】
2006155527.tif 000010
【図９】
2006155527.tif 000011
【図１０】
2006155527.tif 000012
【図１１】
2006155527.tif 000013